(57)【特許請求の範囲】
【請求項１】
昇降路ピットに面するエレベータ乗場において、
一対の側部と上部とを有する三方枠と、
三方枠に沿って移動する一対の乗場ドアとを備え、
三方枠の一方の側部のうち昇降路ピットに向う面に、取手を側部から昇降路ピットに向かって、突出自在に設けたことを特徴とするエレベータ乗場。
【請求項２】
取手は回転又は押圧して側部内へ収納可能となることを特徴とする請求項１記載のエレベータ乗場。
【請求項３】
一対の乗場ドアを案内する案内レールを更に備え、案内レールの両端に一対の乗場ドアの脱落を防止するストッパを各々設けたことを特徴とする請求項１または２記載のエレベータ乗場。
【請求項４】
昇降路ピットに面するエレベータ乗場において、
一対の側部と上部とを有する三方枠と、
三方枠に沿って移動する一対の乗場ドアとを備え、
いずれか一方の乗場ドアのうち昇降路ピットに向う面に、上下方向に延びる補強体を設け、この補強体に上下方向に延びる取手を補強体から突出自在に設けたことを特徴とするエレベータ乗場。
【請求項５】
昇降路ピットに面するエレベータ乗場において、
一対の側部と上部とを有する三方枠と、
三方枠に沿って移動する一対の乗場ドアと、
一対の乗場ドアの下方に配置された溝部を有する敷居とを備え、
敷居の溝部に垂直方向に延びる把持棒を差し込み自在に設け、
三方枠の一方の側部のうち昇降路ピットに向う面に、把持棒を保持する保持体を側部に設け、保持体は溝部の垂直方向上方に位置しており、保持体と溝部とによって垂直方向に延びる把持棒を保持し、保持体および把持棒はエレベータ乗り場から取り外し自在となる、ことを特徴とするエレベータ乗場。
【発明の詳細な説明】
【技術分野】
【０００１】
本実施の形態はエレベータ乗場に関する。
【背景技術】
【０００２】
従来より昇降路ピットには梯子が設置され、作業者はこの梯子を用いて昇降路ピットから昇降路ピットに面するエレベータ乗場へ移動している。
【０００３】
また梯子からエレベータ乗場へ移動する場合、エレベータ乗場側には一般に取手がないため、梯子からエレベータ乗場への移動はむずかしい。
【０００４】
このような場合、エレベータ乗場側に取手を設けることも考えられるが、エレベータ乗場側の取手と乗場ドアとが干渉する恐れがあり、エレベータ乗場に取手を設けることは簡単ではない。
【先行技術文献】
【特許文献】
【０００５】
【特許文献１】特開２０１１−２１９２２３号公報
【発明の概要】
【発明が解決しようとする課題】
【０００６】
本実施の形態は、このような点を考慮してなされたものであり、乗場ドアと干渉することのない把持手段を有するエレベータ乗場を提供することを目的とする。
【課題を解決するための手段】
【０００７】
本発明は、昇降路ピットに面するエレベータ乗場において、一対の側部と上部とを有する三方枠と、  三方枠に沿って移動する一対の乗場ドアとを備え、三方枠の一方の側部のうち昇降路ピットに向う面に、取手を側部から昇降路ピットに向かって、突出自在に設けたことを特徴とするエレベータ乗場である。
【０００８】
本発明は、取手は回転又は押圧して側部内へ収納可能となることを特徴とするエレベータ乗場である。
【０００９】
本発明は、一対の乗場ドアを案内する案内レールを更に備え、案内レールの両端に一対の乗場ドアの脱落を防止するストッパを各々設けたことを特徴とするエレベータ乗場である。
【００１０】
本発明は、昇降路ピットに面するエレベータ乗場において、一対の側部と上部とを有する三方枠と、三方枠に沿って移動する一対の乗場ドアとを備え、いずれか一方の乗場ドアのうち昇降路ピットに向う面に、上下方向に延びる補強体を設け、この補強体に上下方向に延びる取手を補強体から突出自在に設けたことを特徴とするエレベータ乗場である。
【００１１】
本発明は、昇降路ピットに面するエレベータ乗場において、一対の側部と上部とを有する三方枠と、三方枠に沿って移動する一対の乗場ドアと、一対の乗場ドアの下方に配置された溝部を有する敷居とを備え、敷居の溝部に垂直方向に延びる把持棒を差し込み自在に設け、三方枠の一方の側部のうち昇降路ピットに向う面に、把持棒を保持する保持体を側部に設け、保持体は溝部の垂直方向上方に位置しており、保持体と溝部とによって垂直方向に延びる把持棒を保持し、保持体および把持棒はエレベータ乗り場から取り外し自在となる、ことを特徴とするエレベータ乗場である。
【００１２】
本発明は、昇降路ピットに面するエレベータ乗場において、一対の側部と上部とを有する三方枠と、三方枠に沿って移動する一対の乗場ドアとを備え、いずれか一方の乗場ドアのうち昇降路ピットに向う面に、把持用の開口が設けられたプレートが設置され、プレートは垂直方向に延びる縦長状となっており、把持用の開口は垂直方向に延びる、ことを特徴とするエレベータ乗場である。
【発明の効果】
【００１３】
以上のように本実施の形態によれば、昇降路ピットに面するエレベータ乗場であって、乗場ドアと干渉することのない把持手段を有するエレベータ乗場を提供することができる。
【図面の簡単な説明】
【００１４】
【図１】図１はエレベータ乗場の第１の実施の形態を示す斜視図。
【図２】図２はエレベータ乗場の第１の実施の形態を示す斜視図であって、取手が突出した状態を示す図。
【図３】図３（ａ）（ｂ）はエレベータ乗場の第１の実施の形態の作用を示す図であって図２のＡ部拡大図。
【図４】図４はエレベータ乗場の第２の実施の形態を示す斜視図。
【図５】図５（ａ）（ｂ）はエレベータ乗場の第２の実施の形態の作用を示す図であって図４のＢ部拡大図。
【図６】図６はエレベータ乗場の第３の実施の形態を示す斜視図。
【図７】図７は図６のＣ部拡大図。
【図８】図８はエレベータ乗場の第４の実施の形態を示す斜視図。
【図９】図９はエレベータ乗場の第５の実施の形態を示す斜視図。
【図１０】図１０は図９のＤ部拡大図。
【図１１】図１１はエレベータ乗場の第６の実施の形態を示す斜視図。
【図１２】図１２は図１１のＥ部拡大図。
【発明を実施するための形態】
【００１５】
第１の実施の形態
以下、図面を参照してエレベータ乗場の第１の実施の形態について説明する。
ここで図１乃至図３はエレベータ乗場の第１の実施の形態を示す図である。
【００１６】
図１乃至図３に示すように、昇降路ピット１に面するエレベータ乗場２０は、一対の側部３ａと、上部３ｂとを有する三方枠３と、三方枠３に沿って移動する一対の乗場ドア５、５とを備えている。各乗場ドア５、５はエレベータ乗場２０に設置された案内レール１３に沿って移動するようになっている。この場合、各乗場ドア５、５は、案内ローラ１４に吊下ガイド（図示せず）を介して連結され、案内ローラ１４が案内レール１３に沿って走行することにより、各乗場ドア５、５が案内レール１３に沿って移動する（図７参照）。
【００１７】
またエレベータ乗場２０には、溝部６ａが形成された敷居６が設置され、各乗場ドア５、５は、敷居６の溝部６ａに沿って移動する。
【００１８】
ところで昇降路ピット１内には、作業者が昇降路ピット１内を清掃又は点検するための梯子４が設置されている。昇降路ピット１内を清掃又は点検する場合、作業者はエレベータ乗場２０からこの梯子４を利用して降りたり、昇降路ピット１から梯子４を利用してエレベータ乗場２０へ戻ることができる。
【００１９】
また三方枠３の一方の側部３ａのうち、昇降路ピット１に向う面に、取手７が側部３ａから突出自在に設けられている。すなわち、取手７は一方の側部３ａのうち、昇降路ピット１に向う面に取付けられた取付板７ｂに回転自在に取付けられている。
【００２０】
そして取手７を使用しない場合は、取手７を回転させて一方の側部３ａ内へ収納する（図１および図３（ｂ）参照）。
【００２１】
他方、取手７を使用する場合は、取手７を回転させて一方の側部３ａから外方へ引出す。
【００２２】
このとき、取手７には予め折曲部７ａが形成されているため、取手７を一方の側部３ａから外方へ引出した場合、取手７は折曲部７ａを介して折曲げられて、取手７に把持用の空間７ｃが形成される（図２および図３（ａ）参照）。
【００２３】
次にこのような構成からなる本実施の形態の作用について説明する。
エレベータの通常運転時、取手７は使用されることなく、取手７は回転して一方の側部３ａ内に収納される（図１および図３（ｂ）参照）。
【００２４】
次に作業者が昇降路ピット１内で清掃又は点検作業を行なう場合、取手７が回転して一方の側部３ａから外方へ引出される。このとき取手７は折曲部７ａを介して折曲げられて取手７に把持用空間７ｃが形成される。
【００２５】
作業者が乗場２０側から昇降路ピット１内の梯子４に移動する際、作業者は取手７の把持用の空間７ｃ内に指を通して取手７を把持する。作業者は次に取手７を把持したまま梯子４に乗り移り、梯子４を使って降りることができる。
【００２６】
昇降路ピット１内の清掃又は点検作業が終了すると、作業者は梯子４を昇り、次に取手７を把持して乗場２０へ戻ることができる。
【００２７】
このように本実施の形態によれば、昇降路ピット１内で清掃又は点検作業を実施する場合、作業者は一方の側部３ａから取手７を引出し、乗場２０から取手７を把持して梯子４に安全に乗り移ることができる。また昇降路ピット１内の作業が終了した場合、梯子４を昇り取手７を把持して乗場２０に安全に戻ることができる。
【００２８】
次に昇降路ピット１内で清掃又は点検作業が終了した場合、取手７を回転させて一方の側部３ａ内に収納することができる。このため通常運転時に、取手７が突出して乗場ドア５、５と干渉することはない。
【００２９】
第２の実施の形態
次に図４および図５によりエレベータ乗場の第２の実施の形態について説明する。
図４および図５に示す第２の実施の形態は、一方の側部３に取手７を回転自在に設ける代わりに、取手８を一方の側部３に押圧して収納可能に設けたものであり、他の構成は図１乃至図３に示す第１の実施の形態と略同一である。
【００３０】
図４および図５に示す第２の実施の形態において、図１乃至図３に示す第１の実施の形態と同一部分には同一符号を付して詳細な説明は省略する。
【００３１】
図４および図５に示すように、三方枠３の一方の側部３ａのうち昇降路ピット１に向う面に取付板８ｂが設けられ、この取付板８ｂに取手８が押圧して側部３ａ内に移動するよう設けられている。
【００３２】
そして取手８を使用しない場合は、取手８を押圧して一方の側部３ａ内へ収納する（図５（ｂ）参照）。
【００３３】
他方、取手８を使用する場合は、取手８を引出して、一方の側部３ａから外方へ突出させる。
【００３４】
このとき、取手８は予め折曲部８ａを介して折曲げられている。取手８を一方の側部３ａから外方へ引出した場合、取手８に把持用の空間８ａが形成されている（図５（ａ）参照）。
【００３５】
次にこのような構成からなる本実施の形態の作用について説明する。
エレベータの通常運転時、取手８は使用されることなく、取手８は押圧されて一方の側部３ａ内に収納される（図５（ｂ）参照）。
【００３６】
次に作業者が昇降路ピット１内で清掃又は点検作業を行なう場合、取手８は一方の側部３ａから外方へ引出される。このとき取手８は折曲部８ａを介して予め折曲げられているため、取手８に把持用の空間８ｃが形成されている。
【００３７】
作業者が乗場２０側から昇降路ピット１内の梯子４に移動する際、作業者は取手８の把持用の空間８ｃ内に指を通して取手８を把持する。作業者は次に取手８を把持したまま梯子４に乗り、梯子４を使って降りることができる。
【００３８】
昇降路ピット１内の清掃又は点検作業が終了すると、作業者は梯子４を昇り、次に取手８を把持して乗場２０へ戻ることができる。
【００３９】
このように本実施の形態によれば、昇降路ピット１内で清掃又は点検作業を実施する場合、作業者は一方の側部３ａから取手８を引出し、乗場２０から取手８を把持して梯子４に安全に乗り移ることができる。また昇降路ピット１内の作業が終了した場合、梯子４を昇り取手８を把持して乗場２０に安全に戻ることができる。
【００４０】
次に、昇降路ピット１内での清掃又は点検作業が終了した場合、取手８を押圧して、一方の側部３ａ内に収納することができる。このため通常運転時に、取手８が突出して乗場ドア５、５と干渉することはない。
【００４１】
第３の実施の形態
次に図６および図７によりエレベータ乗場の第３の実施の形態について説明する。
図６および図７に示す第３の実施の形態は、案内レール１３の両端にストッパ９を設けたものであり、他の構成は図１乃至図３に示す第１の実施の形態、あるいは図６および図７に示す第２の実施の形態と略同一である。
【００４２】
図６および図７に示す第３の実施の形態において、図１乃至図３に示す第１の実施の形態、あるいは図６および図７に示す第２の実施の形態と同一部分には同一符号を付して詳細な説明は省略する。
【００４３】
図６および図７に示すように、三方枠３の一方の側部３ａのうち昇降路ピット１に向う面に回転可能に取手７が設けられている（図１乃至図３参照）。なお、回転可能な取手７の代わりに取手８を押圧可能に設けてもよい（図４乃至図５参照）。
【００４４】
また上述のように、エレベータ乗場２０には案内レール１３が設置されている。そして各乗場ドア５、５は、案内ローラ１４に吊下ガイドを介して連結され、案内ローラ１４が案内レール１３に沿って走行することにより、各乗場ドア５、５が案内レール１３に沿って移動する。また案内レール１３の両端に、各乗場ドア５、５に連結された案内ローラ１４、１４の脱落を防止するためのストッパ9が設けられている。
【００４５】
本実施の形態によれば、昇降路ピット１内で清掃または点検作業を実施する際、作業者が各乗場ドア５、５を移動させて開とする。この場合、各乗場ドア５、５は案内レール１３に沿って移動するが、案内レール１３の両端にストッパ９を設けたことにより、乗場ドア５、５の案内ローラ１４、１４がこのストッパ9に当接して停止する。このため乗場ドア５、５の移動時に乗場ドア５、５の案内ローラ１４、１４が案内レール１３から脱落することはない。
【００４６】
第４の実施の形態
次に図８によりエレベータ乗場の第４の実施の形態について説明する。
図８に示す第４の実施の形態は、取手７を回転自在に設ける代わりに、取手７を一方の乗場ドア５の補強体５ａに回転自在に設けたものであり、他の構成は図１乃至図３に示す第１の実施の形態と略同一である。
【００４７】
図８に示す第４の実施の形態において、図１乃至図３に示す第１の実施の形態と同一部分には同一符号を付して詳細な説明は省略する。
【００４８】
図８に示すように、一方の乗場ドア５の補強体５ａのうち昇降路ピット１に向う面に取付板７ｂが設けられ、この取付板７ｂに取手７が回転自在に設けられている（図３（ａ）（ｂ）参照）。
【００４９】
図８において、補強体５ａは乗場ドア５の昇降路ピット１に向う面に設置されている。また乗場ドア５の端部には目隠板５ｂが設置されている。
【００５０】
図８において、取手７を使用しない場合は、取手７を回転させて一方の乗場ドア５の補強体５ａ内へ収納する（図３（ｂ）参照）。
【００５１】
他方、取手７を使用する場合は、取手７を回転させて一方の乗場ドア５の補強体５ａから外方へ引出す。
【００５２】
このとき取手７には予め折曲部７ａが形成されているため、取手７を一方の乗場ドア５から外方へ引出した場合、取手７は折曲部７ａを介して折曲げられて取手７に把持用の空間７ｃが形成される（図３（ａ）参照）。
【００５３】
次にこのような構成からなる本実施の形態の作用について説明する。
エレベータの通常運転時、取手７は使用されることなく、取手７は回転して一方の乗場ドア５の補強体５ａ内に収納される（図３（ｂ）参照）。
【００５４】
次に作業者が昇降路ピット１内で清掃又は点検作業を行なう場合、取手７は回転して一方の乗場ドア５の補強体５ａから外方へ引出される。このとき取手７は折曲部７ａを介して折曲げられて取手７に把持用の空間７ｃが形成される。
【００５５】
作業者が２０側から昇降路ピット１内の梯子４に移動する際、作業者は取手７の把持用の空間７ｃ内に指を通して取手７を把持する。作業者は次に取手７を把持したまま梯子４に乗り移り、梯子４を使って降りることができる。
【００５６】
昇降路ピット１内の清掃又は点検作業が終了すると、作業者は梯子４を昇り、次に取手４を把持して乗場２０へ戻ることができる。
【００５７】
このように本実施の形態によれば、昇降路ピット１内で清掃又は点検作業を実施する場合、作業者は一方の乗場ドア５の補強体５ａから取手７を引出し、乗場２０から取手７を把持して梯子４に安全に乗り移ることができる。また昇降路ピット１内の作業が終了した場合、梯子４を昇り取手７を把持して乗場２０に安全に戻ることができる。
【００５８】
次に、昇降路ピット１内での清掃又は点検作業が終了した場合、取手７を回転させて、一方の乗場ドア５の補強体５ａ内に収納することができる。このため通常運転時に、取手７が突出してエレベータの乗りかご（図示せず）と干渉することはない。
【００５９】
さらにまた、三方枠３の一対の側部３ａに、意匠上の理由から昇降路ピット１側に向う面が存在しない場合であっても、乗場ドア５の昇降路ピット１側に向う面を利用して、回転自在に取手７を設けることができる。
【００６０】
なお、乗場ドア５の補強体５ａの昇降路ピット１に向う面に取手７を回転自在に設ける代わりに、乗場ドア５の補強体５ａの昇降路ピット１に向う面に、取手８を押圧自在に設けてもよい（図４および図５参照）。
【００６１】
第５の実施の形態
次に図９および図１０によりエレベータ乗場の第５の実施の形態について説明する。
図９および図１０に示す第５の実施の形態は、一方の側部３に取手７を回転自在に設ける代わりに、敷居６の溝部６ａに垂直方向に延びる把持棒１０を差し込んだものであり、他の構成は図１乃至図３に示す第１の実施の形態と略同一である。
【００６２】
図９および図１０に示す第５の実施の形態において、図１乃至図３に示す第１の実施の形態と同一部分には同一符号を付して詳細な説明は省略する。
【００６３】
図９および図１０に示すように、敷居６の溝部６ａ内に垂直方向に延びる把持棒１０が設けられている。
【００６４】
また三方枠３の一方の側部３ａのうち、昇降路ピット１に向う面に取付板１１が取付けられ、この取付板１１に保持体１１ａが固定されている。保持体１１ａは把持棒１０を保持するものであり、取付板１１は側部３ａに取付自在に取付けられている。
【００６５】
次にこのような構成からなる本実施の形態の作用について説明する。
エレベータの通常運転時、把持棒１０および保持体１１ａは使用されることなく、保持体１１ａを固定する取付板１１は側部３ａから取外されている。
【００６６】
次に作業者が昇降路ピット内で清掃又は点検作業を行なう場合、把持棒１０が保持体１１ａ内に挿入され、把持棒１０が敷居６の溝部６ａ内に差し込まれる。
【００６７】
次に保持体１１ａを固定する取付板１１が一方の側部３ａの昇降路ピット１に向う面に適宜の取付手段（ボルト等）により取付けられる。
【００６８】
作業者が乗場２０側から昇降路ピット１内の梯子４に移動する際、作業者は把持棒１０を把持する。作業者は次に把持棒１０を把持したまま梯子４に乗り移り、梯子４を使って降りることができる。
【００６９】
昇降路ピット１内の清掃又は点検作業が終了すると、作業者は梯子４を昇り、次に把持棒１０を把持して乗場２０へ戻ることができる。
【００７０】
このように本実施の形態によれば、昇降路ピット１内で清掃又は点検作業を実施する場合、作業者は把持棒１０を敷居６の溝部６ａ内に差し込み、把持棒１０が挿入された保持体１１ａを一方の側部３の昇降路ピットに向う面に取付板１１を介して取付ける。次に作業者は乗場２０から把持棒１０を把持して梯子４に安全に乗り移ることができる。また昇降路ピット１内の清掃又は点検作業が終了した場合、梯子４を昇り把持棒１０を把持して乗場２０に安全に戻ることができる。
【００７１】
他方、昇降路ピット１内での清掃又は点検作業が終了した場合、把持棒１０を敷居６の溝部６ａから引き抜き、把持棒１０が挿入された保持体１１ａを取付板１１とともに一方の側部３ａから取外す。このため通常運転時に、把持棒１０あるいは保持体１１ａが乗場ドア５、５と干渉することはない。
【００７２】
第６の実施の形態
次に図１１および図１２によりエレベータ乗場の第６の実施の形態について説明する。
図１１および図１２に示す第６の実施の形態は、一方の側部３に取手７を回転自在に設ける代わりに、一方の乗場ドア５の目隠板５ｂのうち昇降路ピット１に向う面に、把持用の開口１２ａが設けられたプレート１２を設置したものであり、他の構成は図１乃至図３に示す第１の実施の形態と略同一である。
【００７３】
図１１および図１２に示す第６の実施の形態において、図１乃至図３に示す第１の実施の形態と同一部分には同一符号を付して詳細な説明は省略する。
【００７４】
図１１および図１２に示すように、一方の乗場ドア５の目隠板５ｂのうち昇降路ピット１に向う面に把持用の開口１２ａが設けられたプレート１２が設置されている。
【００７５】
なお図１２に示すように、乗場ドア５の昇降路ピット１に向う面に補強体５ａが設置され、乗場ドア５の端部に目隠板５ｂが設置されている。
【００７６】
次にこのような構成からなる本実施の形態の作用について説明する。
作業者が昇降路ピット１内で清掃又は点検作業を行なう場合、作業者は乗場２０側から昇降路ピット１内の梯子４に移動する。この際、作業者はプレート１２の把持用の開口１２ａ内に指を通してプレート１２を把持する。作業者は次にプレート１２の開口１２ａを把持したまま梯子４に乗り移り、梯子４を使って降りることができる。
【００７７】
昇降路ピット１内の清掃又は点検作業が終了すると、作業者は梯子４を昇り、次にプレート１２の開口１２ａを把持して乗場２０へ戻ることができる。
【００７８】
このように本実施の形態によれば、昇降路ピット１内で清掃又は点検作業を実施する場合、作業者は乗場２０からプレート１２の開口１２ａを把持して梯子４に安全に乗り移ることができる。また昇降路ピット１内の作業が終了した場合、梯子４を昇りプレート１２の開口１２ａを把持して乗場２０に安全に戻ることができる。
【００７９】
なお、開口１２ａを有するプレート１２は乗場ドア５の端部に設けられた目隠板５ｂに、乗場ドア５と平行に設置され、プレート１２は目隠板５ｂから乗場ドア５の中央部に向って延びている。このためプレート１２がエレベータの乗りかご（図示せず）と干渉することはない。
【００８０】
なお、プレート１２に把持用の開口１２ａを設けた例を示したが、プレート１２に把持用の開口１２ａに加えて安全帯を引掛ける開口１２ｂを設けてもよい。
【符号の説明】
【００８１】
３  三方枠
３ａ  側部
３ｂ  上部
４  梯子
５  乗場ドア
６  敷居
６ａ  溝部
７  取手
８  取手
９  ストッパ
１０  把持棒
１１  取付板
１１ａ  保持体
１２  プレート
１２ａ  開口
２０  エレベータ乗場
【図１】
0005851532.tif 000002
【図２】
0005851532.tif 000003
【図３】
0005851532.tif 000004
【図４】
0005851532.tif 000005
【図５】
0005851532.tif 000006
【図６】
0005851532.tif 000007
【図７】
0005851532.tif 000008
【図８】
0005851532.tif 000009
【図９】
0005851532.tif 000010
【図１０】
0005851532.tif 000011
【図１１】
0005851532.tif 000012
【図１２】
0005851532.tif 000013